(57)【特許請求の範囲】
【請求項１】
平板状の器具本体と、前記器具本体の一方の面に取り付けられた光源部と、前記光源部を覆うようにして前記器具本体に取り付けられたグローブと、を備えた照明器具であって、
前記グローブは、その周端部に設けられ前記器具本体と平行に伸びるフランジと、前記フランジの一部に設けられ前記器具本体と係合するのに用いられる係合部と、を有し、
前記器具本体は、前記係合部と係合して前記グローブを保持するのに用いられる保持部を有し、
前記フランジの前記器具本体と相対する相対面及び前記器具本体において前記フランジと相対する相対領域の少なくとも一方に、昆虫忌避剤を含んだ忌避剤保持層が設けられ、
前記忌避剤保持層と前記フランジ又は前記器具本体との間若しくは前記忌避剤保持層同士の間に、これら部材同士が直接に接触することなく隙間が形成されるように、前記係合部と前記保持部とが互いに係合し、
前記隙間の大きさは、０．０５〜２ｍｍに構成されていることを特徴とする照明器具。
【請求項２】
前記光源部は、光源としてＬＥＤを有し、
前記ＬＥＤは、その光軸が前記器具本体に対して直交した状態で、且つ前記光軸に直交する方向から見たときに前記フランジよりも光出射方向側又は前記フランジと同じ高さに配置されていることを特徴とする請求項１に記載の照明器具。
【請求項３】
前記忌避剤保持層は、前記フランジの相対面又は前記器具本体の相対領域において器具外方側に配置されていることを特徴とする請求項１又は請求項２に記載の照明器具。
【請求項４】
前記忌避剤保持層は、前記器具本体に設けられている場合、前記相対領域の器具外方側の領域まで延設されていることを特徴とする請求項１乃至請求項３のいずれか一項に記載の照明器具。
【請求項５】
前記フランジの相対面又は前記器具本体の相対領域における前記忌避剤保持層の幅は、器具外方から器具内方に向かう方向において２ｍｍ以上に構成されていることを特徴とする請求項１乃至請求項４のいずれか一項に記載の照明器具。
【請求項６】
前記昆虫忌避剤は、不揮発性のピレスロイド系化合物を主成分とするものにより構成され、前記忌避剤保持層に対して０．０１ｇ／ｍ２以上の濃度で添加されていることを特徴とする請求項１乃至請求項５のいずれか一項に記載の照明器具。
【請求項７】
前記昆虫忌避剤は、バインダーと混合されて前記忌避剤保持層に添加されていることを特徴とする請求項１乃至請求項６のいずれか一項に記載の照明器具。
【請求項８】
前記忌避剤保持層は、その表面に凹凸構造を有することを特徴とする請求項１乃至請求項７のいずれか一項に記載の照明器具。
【請求項９】
前記凹凸構造は、前記忌避剤保持層の表面に設けられた繊維状物質により形成されていることを特徴とする請求項８に記載の照明器具。
【発明の詳細な説明】
【技術分野】
【０００１】
本発明は、器具内部への昆虫の侵入を抑制した照明器具に関する。
【背景技術】
【０００２】
器具本体にグローブを着脱可能とした照明器具では、通常、器具本体とグローブとの間に隙間が生じ、このような隙間は、照明光により誘引されてきた昆虫が器具内部に侵入する際の経路となる。このような経路を通って器具内部に侵入した昆虫は、グローブ内で動き回ったり或いはグローブ内で死骸となって照明器具の美観を損ねるだけでなく、照明器具の高電圧部と接触する等して器具の発熱、誤動作又は故障を引き起こす虞がある。そこで、このような器具内部への昆虫の侵入を抑制するために、器具本体とグローブとの間の隙間を弾性材により埋め、弾性体を介して器具本体とグローブとを完全に密着させた照明器具が知られている（例えば、特許文献１参照）。
【先行技術文献】
【特許文献】
【０００３】
【特許文献１】国際公開第２０１２／００８２８０号公報
【発明の概要】
【発明が解決しようとする課題】
【０００４】
しかしながら、上述したような照明器具では、器具本体とグローブとの間の隙間に弾性体が設けられているので、器具本体にグローブを取り付ける際に、器具本体とグローブとの間で大きな摩擦力が生じて取付操作性が悪い。また、器具本体とグローブとが弾性体を介して完全に密着しているので、照明器具の点灯に伴う熱によって器具本体及びグローブが熱膨張したときや照明器具を消灯して器具本体及びグローブが熱収縮したときに、器具本体とグローブとの熱膨張率差及び熱収縮率差に起因する応力により異音が発生することがある。
【０００５】
本発明は、上記課題を解決するものであって、器具内部への昆虫の侵入を抑制しつつ、器具本体に対するグローブの取付操作性が良く、且つ点灯中や消灯時における異音の発生を防止することができる照明器具を提供することを目的とする。
【課題を解決するための手段】
【０００６】
本発明の照明器具は、平板状の器具本体と、前記器具本体の一方の面に取り付けられた光源部と、前記光源部を覆うようにして前記器具本体に取り付けられたグローブと、を備え、前記グローブは、その周端部に設けられ前記器具本体と平行に伸びるフランジと、前記フランジの一部に設けられ前記器具本体と係合するのに用いられる係合部と、を有し、前記器具本体は、前記係合部と係合して前記グローブを保持するのに用いられる保持部を有し、前記フランジの前記器具本体と相対する相対面及び前記器具本体において前記フランジと相対する相対領域の少なくとも一方に、昆虫忌避剤を含んだ忌避剤保持層が設けられ、前記忌避剤保持層と前記フランジ又は前記器具本体との間若しくは前記忌避剤保持層同士の間に、これら部材同士が直接に接触することなく隙間が形成されるように、前記係合部と前記保持部とが互いに係合し、前記隙間の大きさは、０．０５〜２ｍｍに構成されていることを特徴とする。
【０００７】
前記光源部は、光源としてＬＥＤを有し、前記ＬＥＤは、その光軸が前記器具本体に対して直交した状態で、且つ前記光軸に直交する方向から見たときに前記フランジよりも光出射方向側又は前記フランジと同じ高さに配置されていることが好ましい。
【０００９】
前記忌避剤保持層は、前記フランジの相対面又は前記器具本体の相対領域において器具外方側に配置されていることが好ましい。
【００１０】
前記忌避剤保持層は、前記器具本体に設けられている場合、前記相対領域の器具外方側の領域まで延設されていることが好ましい。
【００１１】
前記フランジの相対面又は前記器具本体の相対領域における前記忌避剤保持層の幅は、器具外方から器具内方に向かう方向において２ｍｍ以上に構成されていることが好ましい。
【００１２】
前記昆虫忌避剤は、不揮発性のピレスロイド系化合物を主成分とするものにより構成され、前記忌避剤保持層に対して０．０１ｇ／ｍ２以上の濃度で添加されていることが好ましい。
【００１３】
前記昆虫忌避剤は、バインダーと混合されて前記忌避剤保持層に添加されていることが好ましい。
【００１４】
前記忌避剤保持層は、その表面に凹凸構造を有することが好ましい。
【００１５】
前記凹凸構造は、前記忌避剤保持層の表面に設けられた繊維状物質により形成されていることが好ましい。
【発明の効果】
【００１６】
本発明によれば、器具本体とグローブとの間に隙間を設けて忌避剤保持層が配設されているので、器具内部への昆虫の侵入を抑制しつつ、器具本体に対するグローブの取付操作性が良く、且つ点灯中や消灯時における異音の発生を防止することができる。
【図面の簡単な説明】
【００１７】
【図１】本発明の一実施形態に係る照明器具の側断面図。
【図２】上記照明器具を光出射方向側から見た平面図。
【図３】図１において破線で囲んだ領域の拡大図。
【図４】上記実施形態の第１変形例に係る照明器具における器具本体とグローブとの接合部を示す図。
【図５】（ａ）（ｂ）は、上記実施形態の第２変形例に係る照明器具における器具本体とグローブとの接合部を示す図。
【図６】（ａ）乃至（ｃ）は、上記実施形態の第３変形例に係る照明器具における器具本体とグローブとの接合部を示す図。
【図７】（ａ）（ｂ）は、上記実施形態の第４変形例に係る照明器具における器具本体とグローブとの接合部を示す図。
【図８】（ａ）（ｂ）は、従来の照明器具における器具本体とグローブとの接合部を示す図。
【発明を実施するための形態】
【００１８】
本発明の一実施形態に係る照明器具について図１乃至図３を参照して説明する。図１及び図２に示すように、照明器具１は、天井Ｃ（図１参照）に取り付けられるシーリングライトである。照明器具１は、天井Ｃに取り付けられた略平板状の器具本体２と、器具本体２の天井Ｃに取り付けられた面とは反対側の面（搭載面）２Ａに搭載された光源部３と、光源部３を覆うようにして器具本体２に取り付けられたグローブ４と、を備える。
【００１９】
器具本体２は、その中央に円形の穴２１を有するドーナツ板状に形成され、穴２１に係合するアダプタ２２を有する。アダプタ２２は、天井Ｃに設けられた引掛シーリングＣ１（図１参照）に取り付けられ、これにより器具本体２が天井Ｃに固定される。アダプタ２２は、光源部３の点灯を制御する回路部（不図示）を有する。回路部は、アダプタ２２が引掛シーリングＣ１に取り付けられることにより引掛シーリングＣ１を介して商用電源と接続され、この商用電源から光源部３への電力供給を制御する。また、器具本体２は、その周端部にグローブ４の方に折り曲げ形成された周枠２３と、周枠２３近傍の搭載面２Ａから立設されグローブ４を保持するのに用いられる保持部２４と、を有する。保持部２４は、グローブ４の係合部４２（後述参照）と係合する凹部２４ａを有する。
【００２０】
光源部３は、器具本体２の搭載面２Ａに取り付けられた配線基板３１と、配線基板３１の搭載面２Ａに取り付けられた面とは反対側の面に実装された複数のＬＥＤ３２と、ＬＥＤ３２から出射した光の配光を制御する配光制御部３３と、を有する。配線基板３１は、その中央に器具本体２の穴２１よりも大きい円形の穴３１ａを有するドーナツ板状に形成され、穴３１ａの中心が穴２１の中心Ｏ（図２参照）と一致するようにして器具本体２に取り付けられている。光源となる複数のＬＥＤ３２は、それぞれの光軸Ａｘが器具本体２に対して直交した状態で、中心Ｏを中心とする２つの同心円上に互いに等間隔を置いて配置されている。ＬＥＤ３２は、器具本体２にグローブ４を取り付けたときに、光軸Ａｘに直交する方向から見てグローブ４のフランジ４１（後述参照）よりも光出射方向側（図１において下側）又はフランジ４１と同じ高さに配置されるように構成され、図例では、フランジ４１よりも光出射方向側に配置されている。ＬＥＤ３２は、例えば、青色光を出射する青色ＬＥＤチップと、この青色ＬＥＤチップを封止する封止材と、この封止材中に分散され青色光を黄色光に変換する蛍光体と、を有し、青色光と黄色光とを互いに混色させることで白色光を出射する。配光制御部３３は、各々のＬＥＤ３２を覆う複数のレンズ３３ａと、これらレンズ３３ａを互いに連結する連結部３３ｂと、を有し、単一部材として構成されている。複数のレンズ３３ａは、それぞれ略半球面状に形成され、その内部にＬＥＤ３２を収納するようにして配置されている。レンズ３３ａは、ＬＥＤ３２から出射された光を光軸Ａｘ方向に屈折して出射する。
【００２１】
グローブ４は、略球面状に形成され、その内部に光源部３を収納するようにして器具本体２に取り付けられている。グローブ４は、その周端部から器具本体２と平行に器具外方に向かって伸びるフランジ４１と、器具本体２と係合するのに用いられる係合部４２と、を有する（図１参照）。係合部４２は、フランジ４１の基部の一部から器具内方に向かって伸びるように形成された爪により構成され、器具本体２の凹部２４ａに係合する。これにより、グローブ４は、器具本体２に取り付けられる。グローブ４は、例えば、乳白色の透光性材料により構成され、光源部３からの光を拡散して外部へ出射する。この透光性材料は、例えば、アクリル系樹脂、ポリカーボネート系樹脂、ポリスチレン系樹脂又はポリエチレン系樹脂等の樹脂やガラスにより構成される。
【００２２】
図３に示すように、器具本体２においてグローブ４のフランジ４１と相対する相対領域Ｒには、昆虫が器具内部に侵入するのを防止するための忌避剤保持層５が設けられている。このとき、忌避剤保持層５とフランジ４１との間に隙間Ｇが形成されるように、器具本体２の保持部２４（不図示）とグローブ４の係合部４２（不図示）とが互いに係合する。忌避剤保持層５は、図例では、相対領域Ｒの器具外方側の領域まで延設されている。隙間Ｇの大きさは、２ｍｍ以下に構成され、好ましくは０．０５〜２ｍｍ、より好ましくは０．１〜２ｍｍに構成されている。相対領域Ｒにおける忌避剤保持層５の幅は、器具外方から器具内方に向かう方向において２ｍｍ以上となるように構成されている。また、忌避剤保持層５の厚みは、０．１ｍｍ〜１０ｍｍに構成されている。なお、ここで言う昆虫とは、隙間Ｇに入り込むことができる体長１ｍｍ〜２０ｍｍ程度の飛翔性昆虫や徘徊性昆虫等を指す。飛翔性昆虫には、例えば、ハエ類、ユスリカ類、蚊類、ヨコバイ類、ウンカ類、コナジラミ類、ハチ類、ゴキブリ類が含まれる。徘徊性昆虫には、例えば、アリ類、シロアリ類、ハネカクシ類、アブラムシ類、シミ類が含まれる。また、その他の昆虫としては、例えば、ノミ類、シラミ類、ダニ類、ムカデ類、蜘蛛類が挙げられる。
【００２３】
忌避剤保持層５は、基材５１と、基材５１に含まれる昆虫忌避剤５２と、を有する。基材５１は、例えば、弾性部材、塗料、フィルム、樹脂又はガラスにより構成される。基材５１を弾性部材（ウレタン、ポリエチレン、ゴム、発泡性部材等）により構成した場合には、忌避剤保持層５は、例えば、昆虫忌避剤５２を含む溶剤に基材５１を漬け込んだ後、乾燥により基材５１から溶剤を揮発させることで形成される。また、基材５１を塗料（アクリル系樹脂、フッ素系樹脂、シリコン系樹脂、ウレタン系樹脂、フェノール系樹脂等）により構成した場合には、忌避剤保持層５は、例えば、塗料と昆虫忌避剤５２とを混ぜ合わせたものを塗布することで形成される。また、基材５１をフィルム（アクリル系樹脂、ポリカーボネート系樹脂、ポリスチレン系樹脂、ポリエステル系樹脂、セルロース系樹脂、塩化ビニル系樹脂、ポリアミド樹脂、ガラス等）により構成した場合には、忌避剤保持層５は、例えば、昆虫忌避剤５２を含んだフィルムを貼着することで形成される。更に、基材５１を樹脂（アクリル系樹脂、ポリカーボネート系樹脂、ポリスチレン系樹脂、ポリエチレン系樹脂等）又はガラスにより構成した場合には、忌避剤保持層５は、これら樹脂又はガラスに昆虫忌避剤５２を練り込んで形成される。
【００２４】
昆虫忌避剤５２は、バインダーと混合され、基材５１（忌避剤保持層５）に対して０．０１ｇ／ｍ２以上の濃度で添加されている。バインダーは、例えば、アクリル系樹脂、フッ素系樹脂、シリコン系樹脂、ウレタン系樹脂又はフェノール系樹脂等の樹脂や軽石等の多孔質材料により構成される。このようなバインダーを用いることで、昆虫忌避剤５２の基材５１への接着性を高めると共に、昆虫忌避剤５２の耐久性を向上して昆虫忌避剤５２の寿命を長くすることができる。昆虫忌避剤５２は、哺乳類に対する安全性が高く且つ不揮発性で高い持続性を有するピレスロイド系化合物を主成分とするものにより構成されることが好ましい。このような不揮発性のピレスロイド系化合物は、昆虫の触覚や脚に直接に接触することで昆虫忌避効果を発し、例えば、ピレトリン、シネリン、ジヤスモリン、アレスリン、フタルスリン、レスメトリン、フラメトリン、フェノトリン、ベルメトリン、イミブロトリン、シフェノトリン、トラロメトリン、エトフェンプロックス、プラレトリン、シフルトリン、シラフルオフェン、ビフェントリン、フルメトリン、フルバリネート、デルタメスリン、エンペントリン、メトフルトリン、トランスフルスリンにより構成される。なお、昆虫忌避剤５２は、ピレスロイド系化合物に限定されず、有機リン系化合物や天然由来の植物精油等により構成されてもよい。
【００２５】
上記のように構成された照明器具１において、昆虫が隙間Ｇから器具内部に侵入しようとする場合を考える。このとき、隙間Ｇの大きさが２ｍｍ以下に構成される共に、忌避剤保持層５が相対領域Ｒの器具外方側の領域まで延設され、また、相対領域Ｒにおける忌避剤保持層５の幅が２ｍｍ以上となっているので、昆虫が忌避剤保持層５に接触し易くなる。忌避剤保持層５に接触した昆虫は、それ以上の忌避剤保持層５との接触を避けようと器具外方へ逃げる。このように照明器具１では、器具本体２とグローブ４との間に隙間Ｇを設けながらも、隙間Ｇから器具内部への昆虫の侵入を抑制することができる。
【００２６】
一方、隙間Ｇを設けることにより、器具本体２の保持部２４とグローブ４の係合部４２とが互いに係合したときに、器具本体２とグローブ４とが直接に接触しない。そのため、器具本体２とグローブ４との間で大きな摩擦力が働かず、器具本体２に対してグローブ４を少ない力でスムーズに取り付けることができて取付操作性が良い。また、隙間Ｇが設けられているので、ＬＥＤ３２の発光に伴う熱によって器具本体２及びグローブ４が熱膨張したり、また、ＬＥＤ３２を消灯して器具本体２及びグローブ４が熱収縮したとしても、器具本体２とグローブ４との熱膨張率差及び熱収縮率差に起因する応力を効率良く逃がすことができる。これにより、器具本体２及びグローブ４における応力歪みによる異音の発生を防止することができる。
【００２７】
上述のように照明器具１によれば、器具本体２とグローブ４との間に隙間Ｇを設けて忌避剤保持層５が配設されているので、器具内部への昆虫の侵入を抑制しつつ、器具本体２へのグローブ４の取付操作性が良く、且つ点灯中や消灯時における異音の発生を防止することができる。
【００２８】
また、ＬＥＤ３２の光軸Ａｘが器具本体２に直交し、且つＬＥＤ３２がグローブ４のフランジ４１よりも光出射方向側又はフランジ４１と同じ高さに配置されているので、ＬＥＤ３２から出射された光が、隙間Ｇから器具外部に漏れ難い（図１参照）。これにより、ＬＥＤ３２のような高輝度光源を用いた場合であっても、隙間Ｇから器具外部に漏れた光による昆虫の誘因を抑制することができる。また、仮に、器具外部に漏れた光により昆虫が照明器具１に誘引されてきたとしても、そのような昆虫は、忌避剤保持層５が配設されているので器具内部に侵入し難い。更に、光源として青色ＬＥＤチップと蛍光体とを含んだＬＥＤ３２を用いることで、光源として蛍光灯を用いた場合に比べて光源からの紫外線放射を減らすことができるので、紫外線による昆虫誘因を抑制することができる。
【００２９】
次に、上記実施形態の第１変形例について図４を参照して説明する。本変形例の照明器具は、上述した照明器具１を基に、忌避剤保持層５を相対領域Ｒにおいて器具外方側にだけ配置したものである。このようにすることで、隙間Ｇに侵入しようとする昆虫が早い段階で忌避剤保持層５と接触して隙間Ｇ周辺にとどまり難くなるので、照明器具１に比べて少ない量の忌避剤保持層５でも器具内部への昆虫の侵入を抑制することができる。
【００３０】
次に、上記実施形態の第２変形例について図５（ａ）（ｂ）を参照して説明する。図５（ａ）に示す照明器具は、上述した照明器具１を基に、忌避剤保持層５を器具本体２の周枠２３の内周面まで延設したものである。また、図５（ｂ）に示す照明器具は、図５（ａ）に示した照明器具１を基に、忌避剤保持層５を更に周枠２３においてグローブ４と相対する面まで延設したものである。これらのようにすることで、忌避剤保持層５に昆虫が接触する機会を増やすことができるので、より確実に器具内部への昆虫の侵入を抑制することができる。
【００３１】
次に、上記実施形態の第３変形例について図６（ａ）乃至（ｃ）を参照して説明する。図６（ａ）に示す照明器具は、上述した照明器具１を基に、グローブ４のフランジ４１において器具本体２と相対する相対面４１ａにも忌避剤保持層５を設けたものである。また、図６（ｂ）に示す照明器具は、図６（ａ）に示した照明器具を基に、器具本体２側の忌避剤保持層５を昆虫忌避剤５２を含まない忌避剤保持層５（すなわち、基材５１のみ）で置き換えたものである。更に、図６（ｃ）に示す照明器具は、図６（ａ）に示した照明器具を基に、グローブ４において器具本体２の周枠２３に相対する箇所まで忌避剤保持層５をグローブ４の外側面に沿って延設したものである。これらのようにすることで隙間Ｇが小さくなるので、忌避剤保持層５に昆虫が接触する機会が増え、より確実に器具内部への昆虫の侵入を抑制することができる。
【００３２】
次に、上記実施形態の第４変形例について図７（ａ）（ｂ）を参照して説明する。図７（ａ）に示す照明器具は、上述した照明器具１を基に、忌避剤保持層５の表面に凹凸構造５３を設けたものである。凹凸構造５３の高さは、１ｍｍ程度とされる。また、図７（ｂ）に示す照明器具は、図７（ａ）に示した照明器具を基に、凹凸構造５３を繊維状物質により形成したものである。このような繊維状物質は、例えば、起毛した繊維や植毛された繊維により構成され、綿、麻、絹等の動植物繊維やレーヨン、ナイロン、ポリエステル、アクリル、ポリ塩化ビニル、ガラス等の化学繊維を編込み（フレンチパイル）、不織布、植毛、フェルトとすることにより構成される。繊維状物質への昆虫忌避剤５２の添加は、例えば、刷毛やスポンジを用いて昆虫忌避剤５２を繊維状物質に塗布することで成される。このような凹凸構造５３を設けることで、忌避剤保持層５の表面積が増大し、忌避剤保持層５に昆虫が接触する機会が増えるので、より確実に器具内部への昆虫の侵入を抑制することができる。
【００３３】
（実施例）
パナソニック社製シーリングライト（型番：ＨＨ−ＬＣ７６２Ａ）を基に本発明の照明器具を作製し、器具本体２へのグローブ４の取付操作性及び器具内部への昆虫の侵入し易さを評価した。器具内部への昆虫の侵入し易さは、照明器具の電線穴及び器具取付穴を塞いで昆虫が隙間Ｇからのみ器具内部に侵入できるようにした状態で、光源部３を点灯した照明器具１を屋外に設置し、２晩後に器具内部に侵入した昆虫の数を計測することで評価した。
【００３４】
実施例１は、図３に示した照明器具１に対応するものとし、相対領域Ｒにおける忌避剤保持層５の幅は６ｍｍとした。実施例２は、図４に示した照明器具に対応するものとし、相対領域Ｒにおける忌避剤保持層５の幅は３ｍｍとした。実施例３は、図５（ｂ）に示した照明器具に対応するものとした。これら実施例１乃至３では、不揮発性の昆虫忌避剤５２を混合したアクリル塗料を器具本体２に塗布することで忌避剤保持層５を構成した。実施例４は、図７（ａ）に示した照明器具に対応するものとし、基材５１として凹凸構造５３を有するウレタンを用い、このウレタンの表面に昆虫忌避剤５２を混合したアクリル系塗料を塗布することで忌避剤保持層５を構成した。実施例５は、図７（ｂ）に示した照明器具に対応するものとし、基材５１としてナイロンを用い、このナイロンに昆虫忌避剤５２を含浸することで忌避剤保持層５を構成した。実施例１乃至５の全てにおいて、昆虫忌避剤５２を基材５１に対して１０ｇ／ｍ２の濃度で添加した。
【００３５】
一方、図８（ａ）に示すように、従来例１は、実施例１における忌避剤保持層５を、昆虫忌避剤５２を含まない忌避剤保持層５（すなわち、基材５１のみ）で置き換えたものとした。また、図８（ｂ）に示すように、従来例２は、従来例１を基に、基材５１で隙間Ｇを完全に塞いだものとした。
【００３６】
以下の表１は、上述した実施例１乃至５並びに従来例１及び２における器具本体２に対するグローブ４の取付操作性及び器具内部に侵入した昆虫数を示している。実施例１では、取付操作性は良く、且つ器具内部に侵入した昆虫数は「１」であった。ここで、器具内部に侵入した昆虫数は、従来例１において器具内部に侵入した昆虫数を「１０」としたときの相対比として表記している。実施例２では、取付操作性は良かったが、実施例１に比べて忌避剤保持層５の幅が狭いので、器具内部に侵入した昆虫数が「３」に増加した。実施例３では、器具本体２においてグローブ４と相対する面まで忌避剤保持層５が延設されているので、器具本体２とグローブ４とが接触し易くなって取付操作性がやや悪くなったものの、器具内部に侵入した昆虫数は「０」であった。実施例４及び５では、取付操作性は良く、且つ器具内部に侵入した昆虫数は「０」であった。一方、従来例１では、取付操作性は良いが、器具内部に多くの昆虫が侵入した。また、従来例２では、器具内部に侵入した昆虫数は「０」であったものの、取付操作性が非常に悪かった。
【表１】
0006678321.tif 000002
【００３７】
以下の表２は、器具内部に侵入した昆虫数に対する昆虫忌避剤５２の濃度の影響を示している。上述した実施例５では、昆虫忌避剤５２を基材５１に対して１０ｇ／ｍ２の濃度で添加し、器具内部に侵入した昆虫数は「０」であった。この濃度から徐々に昆虫忌避剤５２の濃度を下げていったところ、昆虫忌避剤５２の濃度が下がるにつれて器具内部に侵入した昆虫数が増加したが、０．０１ｇ／ｍ２の濃度でも器具内部に侵入する昆虫数を顕著に低減することができた。
【表２】
0006678321.tif 000003
【００３８】
なお、本発明に係る照明器具は、上記実施形態及びその変形例に限定されず種々の変形が可能である。例えば、忌避剤保持層は、フランジの相対面にのみ設けられていてもよく、この場合、忌避剤保持層の幅は、器具外方から器具内方に向かう方向において２ｍｍ以上に構成されていることが好ましい。また、器具本体に設けられた忌避剤保持層は、必ずしも相対領域の器具外方側の領域まで延設されている必要はなく、相対領域のみを占めるように設けられていてもよい。また、光源は、ＬＥＤに限定されず、蛍光灯やＨＩＤランプにより構成されていてもよい。また、照明器具は、シーリングライトに限定されず、例えば、公園等に設置される街路灯やグランド等に投光する投光器として構成されてもよい。また、照明器具の形状は、平面視円形状に限定されず、例えば、平面視矩形状であってもよい。
【符号の説明】
【００３９】
１  照明器具
２  器具本体
２４  保持部
３  光源部
３２  ＬＥＤ
４  グローブ
４１  フランジ
４１ａ  （フランジの）相対面
４２  係合部
５  忌避剤保持層
５２  昆虫忌避剤
５３  凹凸構造
Ａｘ  （ＬＥＤの）光軸
Ｇ  隙間
Ｒ  相対領域
【図１】
0006678321.tif 000004
【図２】
0006678321.tif 000005
【図３】
0006678321.tif 000006
【図４】
0006678321.tif 000007
【図５】
0006678321.tif 000008
【図６】
0006678321.tif 000009
【図７】
0006678321.tif 000010
【図８】
0006678321.tif 000011